(57)【要約】  コンピュータ等の情報処理装置に関し、デスクトップ画面をそのユーザにとって使い勝手良く整理するために、ユーザ操作に応じて、個々のアイコンについてそれぞれ個別に、複数のグループのうちのそれぞれ１つ又は複数のグループに振り分けて、個々のアイコンと、それら個々のアイコンの振分け先グループとの対応関係を記憶しておき、ユーザ操作に応じて、アイコンが振り分けられた複数グループのうちのいずれか１つのグループに切り替える。
2012020497.tif 000002
【特許請求の範囲】
【請求項１】
ユーザ操作に応じて、個々のアイコンについて個別に、複数のグループのうちのそれぞれ１つ以上のグループに振り分けるアイコン振分部と、
前記個々のアイコンと、該個々のアイコンの振分け先グループとの対応関係を記憶しておくアイコン振分先記憶部と、
前記複数のグループのうちのいずれか１つのグループに切替自在に切り替えるグループ切替部と、
前記アイコン振分先記憶部を参照して、前記グループ切替部により切り替えられたグループに振り分けられているアイコンを表示する表示部とを有することを特徴とする情報処理装置。
【請求項２】
前記複数のグループについて個別に背景画像を設定する画像設定部と、
前記複数のグループと背景画像との対応関係を記憶しておくグループ別背景画像記憶部とを有し、
前記表示部が、前記グループ別背景画像記憶部と前記アイコン振分先記憶部とを参照して、前記グループ切替部により切り替えられたグループに振り分けられているアイコンを、該グループに設定されている背景画像とともに表示するものであることを特徴とする請求項１記載の情報処理装置。
【請求項３】
前記複数のグループのうちの１つ以上のグループにパスワードを設定するパスワード設定部と、
前記パスワード設定部で設定されたパスワードを記憶しておくパスワード記憶部と、
前記グループ切替部による、パスワードが設定されているグループへの少なくとも初回の切替時に当該パスワードによる認証を行なう認証部とを有し、
前記表示部が、前記グループ切替部による、パスワードが設定されているグループへの少なくとも初回の切替時には、前記認証部による認証を待って、当該グループに振り分けられているアイコンを表示するものであることを特徴とする請求項１又は２記載の情報処理装置。
【請求項４】
前記表示部により表示されたアイコンを指定して該アイコンに対応する処理を実行するパスを除くパスを経て当該処理の実行の指示を受けた場合であって、当該処理がパスワードが設定されたグループに振り分けられているアイコンに対応する処理であり、さらに当該アイコンが前記認証部による認証を受けずには表示されない状況下にある場合に、前記認証部が、当該処理の実行に先立って当該パスワードによる認証を行なうものであることを特徴とする請求項３記載の情報処理装置。
【請求項５】
パスワードが設定されたグループに振り分けられたアイコンに対応する処理を、前記表示部により表示された当該アイコンをクリックすることにより実行させるパスを除くパスを表す表示を、当該アイコンが前記認証部による認証を受けずには表示されない状況下にある場合に非表示とする表示制御部を有することを特徴とする請求項３記載の情報処理装置。
【請求項６】
前記アイコン振分部が、複数のグループへの１つのアイコンの重複した振り分けを許容して、当該アイコン振分部による振り分け対象の全てのアイコンを１つのグループに振り分けるものであることを特徴とする請求項１から５のうちいずれか１項記載の情報処理装置。
【請求項７】
プログラムを実行する演算処理部と、該演算処理部からの指示に応じて画像を表示する表示画面と、ユーザによる操作入力を受ける入力操作子とを有する情報処理装置内で実行され、該情報処理装置内に、
ユーザ操作に応じて、個々のアイコンについて個別に、  複数のグループのうちのそれぞれ１つ以上のグループに振り分けるアイコン振分部と、
前記個々のアイコンと、該個々のアイコンの振分け先グループとの対応関係を記憶しておくアイコン振分先記憶部と、
前記複数のグループのうちのいずれか１つのグループに切替自在に切り替えるグループ切替部と、
前記アイコン振分先記憶部を参照して、前記グループ切替部により切り替えられたグループに振り分けられているアイコンを表示する表示部とを構築することを特徴とする情報処理プログラム。
【請求項８】
前記情報処理装置内に、さらに、
前記複数のグループについて個別に背景画像を設定する画像設定部と、
前記複数のグループと背景画像との対応関係を記憶しておくグループ別背景画像記憶部とを構築し、
前記表示部が、前記グループ別背景画像記憶部と前記アイコン振分先記憶部とを参照して、前記グループ切替部により切り替えられたグループに振り分けられているアイコンを、該グループに設定されている背景画像とともに表示するものであることを特徴とする請求項７記載の情報処理プログラム。
【請求項９】
前記情報処理装置内に、さらに、
前記複数のグループのうちの１つ以上のグループにパスワードを設定するパスワード設定部と、
前記パスワード設定部で設定されたパスワードを記憶しておくパスワード記憶部と、
前記グループ切替部による、パスワードが設定されているグループへの少なくとも初回の切替時に当該パスワードによる認証を行なう認証部とを構築し、
前記表示部が、前記グループ切替部による、パスワードが設定されているグループへの少なくとも初回の切替時には、前記認証部による認証を待って、当該グループに振り分けられているアイコンを表示するものであることを特徴とする請求項７又は８記載の情報処理プログラム。
【請求項１０】
前記表示部により表示されたアイコンを指定して該アイコンに対応する処理を実行するパスを除くパスを経て当該処理の実行の指示を受けた場合であって、当該処理がパスワードが設定されたグループに振り分けられているアイコンに対応する処理であり、さらに当該アイコンが前記認証部による認証を受けずには表示されない状況下にある場合に、前記認証部が、当該処理の実行に先立って当該パスワードによる認証を行なうものであることを特徴とする請求項９記載の情報処理プログラム。
【請求項１１】
前記情報処理装置内に、さらに、パスワードが設定されたグループに振り分けられたアイコンに対応する処理を、前記表示部により表示された当該アイコンをクリックすることにより実行させるパスを除くパスを表す表示を、当該アイコンが前記認証部による認証を受けずには表示されない状況下にある場合に非表示とする表示制御部を構築することを特徴とする請求項９記載の情報処理プログラム。
【請求項１２】
前記アイコン振分部が、複数のグループへの１つのアイコンの重複した振り分けを許容して、当該アイコン振分部による振り分け対象の全てのアイコンを１つのグループに振り分けるものであることを特徴とする請求項７から１１のうちいずれか１項記載の情報処理プログラム。
【発明の詳細な説明】
【技術分野】
【０００１】
本件は、コンピュータ等の情報処理装置、およびそのコンピュータ等で実行される情報処理プログラムに関する。
【背景技術】
【０００２】
例えばノート型パーソナルコンピュータ（以下、「ノートＰＣ」と略記する）を操作するにあたり、普段から使用している、または新規に作成したフォルダやファイルについてはそれらのショートカットアイコンなどをデスクトップ上に並べて配置しがちである。【０００３】
しかしながら、ついつい数が多くなってデスクトップ上が煩雑となったり、中には他人に内容を見られたくないものもある。しかし、デスクトップ上に置かずに他の場所に格納しておくと、直ぐには起動できない、どこに格納したか分からない、などの煩わしさを感じることも少なくない。【０００４】
従来、デスクトップ上に、プログラム・アイコンとドキュメント・アイコン（データ・アイコン）を切り替えて配列表示することが提案されている。また、操作権限のないアイコンを非表示化する提案もある。また、アイコンを表示するにあたりパスワードの入力を要求することも提案されている。さらに、ツリー構造の下位に他のデスクトップを置き、他のデスクトップをアイコンと同等に扱うことも提案されている。
【先行技術文献】
【特許文献】
【０００５】
【特許文献１】特開平９−２２２９８１号公報
【特許文献２】特開平６−１０３０１７号公報
【特許文献３】特開平１−２７６３５２号公報
【特許文献４】特開平２−２７００４５号公報
【発明の概要】
【発明が解決しようとする課題】
【０００６】
本件開示の情報処理装置および情報処理プログラムの課題は、デスクトップ画面をそのユーザにとって使い勝手良く整理することを可能にすることにある。
【課題を解決するための手段】
【０００７】
本件開示の情報処理装置は、アイコン振分部と、アイコン振分先記憶部と、グループ切替部と、表示部とを有する。【０００８】
アイコン振分部は、ユーザ操作に応じて、個々のアイコンについて個別に、複数のグループのうちのそれぞれ１つ以上のグループに振り分ける。【０００９】
アイコン振分先記憶部は、個々のアイコンと、それら個々のアイコンの振分け先グループとの対応関係を記憶しておく。【００１０】
グループ切替部は、上記の複数グループのうちのいずれか１つのグループを切替自在に切り替える。【００１１】
表示部は、アイコン振分先記憶部を参照して、グループ切替部により切り替えられたグループに振り分けられているアイコンを表示する。【００１２】
また、本件開示の情報処理プログラムは、プログラムを実行する演算処理部と、その演算処理部からの指示に応じて画像を表示する表示画面と、ユーザによる操作入力を受ける入力操作子とを有する情報処理装置内で実行されるプログラムである。本件開示の情報処理プログラムは、その情報処理装置内で実行されて、その情報処理装置内に、上記のアイコン振分部と、アイコン振分先記憶部と、グループ切替部と、表示部とを構築する。
【発明の効果】
【００１３】
本件開示の情報処理装置および情報処理プログラムによれば、ユーザが自分にとって都合良いようにデスクトップ画面を整理することができ、利便性の向上につながる。
【図面の簡単な説明】
【００１４】
【図１】ノートＰＣの外観図である。
【図２】図１に示すノートＰＣの内部構成図である。
【図３】情報処理装置の機能ブロック図である。
【図４】記憶部に記憶される表示１，表示２，表示３の各データの一例を示す図である。
【図５】各種フラグやパスワードの記憶部を示した図である。
【図６】表示画面上に表示されるデスクトップ画面例を示した図である。
【図７】表示設定時の処理を表わすフローチャートである。
【図８】表示設定時に開かれる画面を示す図である。
【図９】背景画像上にマウスカーソルを合わせてマウスを右クリックしたときに実行される処理を表わすフローチャートの一部分を示した図である。
【図１０】背景画像上にマウスカーソルを合わせてマウスを右クリックしたときに実行される処理を表わすフローチャートの一部分を示した図である。
【図１１】図９，図１０に示す処理で表示される画面を示した図である。
【図１２】エクスプローラ上でのアクセスが発生した時の処理を示すフローチャートである。
【図１３】第１変形例における、図９に代わるフローチャートを示した図である。
【図１４】第１変形例における、図１１のメニュー画面に代わるメニュー画面を示した図である。
【図１５】前述の実施形態における図４に代わる、第２変形例の記憶部を示した図である。
【図１６】前述の実施形態における図６に代わる、第２変形例のデスクトップ画面を示した図である。
【図１７】前述の実施形態における図７に代わる、第２変形例における「表示設定」時の処理を表わすフローチャートである。
【図１８】前述の実施形態における図８に代わる、表示設定時に開かれる画面を示す図である。
【図１９】前述の実施形態における図９に代わる、デスクトップ画面切替え時のフローチャートである。
【図２０】前述の実施形態における図１１に代わる、図１９および前述の図１０の処理で表示される画面を示した図である。
【図２１】第３変形例の説明図である。
【発明を実施するための形態】
【００１５】
以下、実施形態を説明する。
【００１６】
図１は、ノート型パーソナルコンピュータ（以下、「ノートＰＣ」と略記する）の外観図である。ここでは、この図１に示すノートＰＣとそのノートＰＣ内で実行される情報処理プログラムとにより、本件の実施形態としての情報処理装置が構築される。
【００１７】
この図１に示すノートＰＣ１０は、本体ユニット１１と表示ユニット１２を有する。
【００１８】
本体ユニット１１はその上面にキーボード１１１やポインティングデバイスの一種であるトラックパッド１１６を有する。また、本体ユニット１１の内部には、ＣＰＵ（Ｃｅｎｔｒａｌ  Ｐｒｏｃｅｓｓｉｎｇ  Ｕｎｉｔ）、ハードディスク等、様々な電子部品が収納されている。また、表示ユニット１２は、本体ユニット１１に開閉自在に支持されており、その中央に表示画面１２１を有する。
【００１９】
図２は、図１に示すノートＰＣ１０の内部構成図である。
【００２０】
この図２には、図１にも示すキーボード１１１、表示画面１２１、トラックパッド１１６およびマウス１３１が示されている。また、この図２には、さらに、ＣＰＵ１１２、ハードディスク１１３、メモリ１１４、ネットワークインタフェース１１５、およびＣＤ／ＤＶＤドライブ１３２が示されている。
【００２１】
これらの各要素の相互間はバス１５０で接続されている。
【００２２】
ここで、ＣＰＵ１１２は、プログラムを実行する中央演算処理装置である。
【００２３】
また、ハードディスク１１３は、様々なプログラムやデータ等を保存しておく大容量記憶装置である。
【００２４】
またメモリ１１４は、ＣＰＵ１１２で実行されるプログラムがハードディスク１１３から読み出されて展開されるメモリである。またこのメモリ１１４には、様々なテンポラリなデータも格納される。
【００２５】
また、ネットワークインタフェース１１５は、ＬＡＮ（Ｌｏｃａｌ  Ａｒｅａ  Ｎｅｔｗｏｒｋ）やインタネット等を介して外部と通信する要素である。
【００２６】
さらに、キーボード１１１は、ユーザによるキー入力操作が行なわれる入力装置である。
【００２７】
表示画面１１５は、プログラムを実行するＣＰＵ１１２の指示に応じて画像を表示する出力装置である。
【００２８】
トラックパッド１１６およびマウス１３１は、いずれも、表示画面１２１上のカーソルを移動させたり、表示画面１２１上の任意の点を指定するポインティングデバイスである。尚、以下の説明では、マウス１３１を使って操作するものとして説明する。
【００２９】
さらに、ＣＤ／ＤＶＤドライブ１３２は、ＣＤ（Ｃｏｎｐａｃｔ  Ｄｉｓｋ）やＤＶＤ（Ｄｉｇｉｔａｌ  Ｖｅｒｓａｔｉｌｅ  Ｄｉｓｋ）（以下では、ＣＤとＤＶＤを区別せずにＣＤ／ＤＶＤと称する）が装填されるデバイスである。このＣＤ／ＤＶＤドライブ１３２は、装填されたＣＤ／ＤＶＤ１３３をドライブし、そのＣＤ／ＤＶＤ１３３に記録されている情報を読み込んだり、空のＣＤ／ＤＶＤ１３３に情報を書き込む。
【００３０】
このノートＰＣ１０に情報処理プログラムをインストールするにあたっては、例えば情報処理プログラムが記憶されているＣＤ／ＤＶＤ１３３を用意しＣＤ／ＤＶＤドライブ１３２に装填してその情報処理プログラムを読み込む。そしてその読み込んだ情報処理プログラムをハードディスク１１３に記憶する。その情報処理プログラムの実行にあたっては、ハードディスク１１３から情報処理プログラムを読み出してメモリ１１４に置き、そのメモリ１１４上の情報処理プログラムがＣＰＵ１１２により実行される。こうすることにより、このノートＰＣ１０が情報処理装置の一実施形態として動作する。
【００３１】
尚、情報処理プログラムは、ＣＤ／ＤＶＤ１３３から読み込むことに代え、例えばインタネット等を介してネットワークインタフェース１１５で受信してもよく、あるいは、ハードディスク１１３に当初から記憶されていてもよい。
【００３２】
図３は、情報処理装置の機能ブロック図である。
【００３３】
この情報処理装置２００は、図１，図２に示すノートＰＣ１０内で情報処理プログラムが実行されることによってそのノートＰＣ１０内に構築されるものである。
【００３４】
この情報処理装置２００は、入力装置２１０と、演算処理装置２２０と、表示画面２３０とを有する。
【００３５】
入力装置２１０は、ハードウェア上は図１，図２に示すノートＰＣ１０のキーボード１１１やマウス１３１等で構成される。この入力装置２１０からは、主に、「表示設定」、「表示切替指示」、および「パスワード入力」が行われる。
【００３６】
また、演算処理装置２２０は、演算部２２１と記憶部２２２を有する。演算部２２１は、ハードウェア上は、ＣＰＵ１１２やメモリ１１４等で構成される、情報処理プログラムの実行により各種の演算処理が行なわれる。
【００３７】
記憶部２２２は、ハードウェア上はハードディスク１１３等で構成される。この記憶部２２２には、主に、表示１用のデータ、表示２用のデータ、および表示３用のデータが記憶される。表示１，表示２，表示３については後述する。また、この記憶部２２２には、それらのデータの他、各種のフラグやパスワード等の情報も記憶される。
【００３８】
表示１，表示２，表示３用のデータは、入力装置２１０からの「表示設定」入力により構築されて記憶部２２２に記憶される。また、入力装置２１０からの「表示切替指示」に応じて、記憶部２２２に記憶された表示１，表示２，表示３のいずれかのデータが読み出されて表示画面２３０上に表示される。後述するように、表示２および表示３については、パスワードを設定しておくことができる。パスワードを設定しておくと、表示２，表示３についてはユーザ認証を行なった後に表示画面上に表示される。パスワード設定時には、入力装置２１０から「パスワード入力」が行なわれて記憶部２２２に記憶される。またユーザ認証時にも入力装置２１０から再び「パスワード入力」が行なわれ、記憶部２２２に記憶されているパスワードとの照合による認証が行われる。
【００３９】
以下、この情報処理装置２００における処理の詳細を具体的に説明する。
【００４０】
図４は、記憶部に記憶される表示１，表示２，表示３の各データの一例を示す図である。
【００４１】
図４（Ａ），（Ｂ），（Ｃ）は、それぞれ、表示１，表示２，表示３のデータである。
【００４２】
ここでは、アイコンが表示１，表示２，表示３の各グループに振り分けられて記憶されている。記憶部２２２の中の、このアイコンを記憶する領域は、本体におけるアイコン振分先記憶部の一例である。図４（Ａ）に示すように、表示１のグループには、「コンピュータ」、「議事録」、「オフィス」、「インタネット」、「操作手順書」、「打ち合わせ資料」のアイコンが振り分けられている。また、図４（Ｂ）に示すように、表示２のグループには、「日記」、「秘密のフォルダ」のアイコンが振り分けられている。表示３は、ここで対象としている全てのアイコンを含むグループであり、ここには、図４（Ｃ）に示すように、表示１のグループに振り分けられているアイコンと表示２に振り分けられているアイコンの全てが、この表示３にも重複して振り分けられている。
【００４３】
ここで、表示１のアイコンは、例えば、
ＨＫＣＵ￥ＳＯＦＴＷＡＲＥ￥ＫＩＲＩＫＡＥ￥デスクトップ￥表示１￥
のレジストリ配下に記録される。表示２，表示３についても同様である。ただし、特にレジストリである必要はなく、表示切替時に読み取ることができるように記憶されていればよい。
【００４４】
また、この図４には、表示１，表示２，表示３に対応して、それぞれ壁紙１，壁紙２，壁紙３が記憶されている。これらの壁紙が記憶されている領域は、本件におけるグループ別背景画像記憶部の一例に相当する。
【００４５】
図５は、各種フラグやパスワードの記憶部を示した図である。
【００４６】
これらのフラグやパスワードは、図３に示す記憶部２２２内に記録される図５（Ａ）の「壁紙設定フラグ」は、壁紙を表示１，表示２，表示３の各グループ別に設定するか否かを表わすフラグである。この「壁紙設定フラグ」がオフのときは表示１，表示２，表示３ともに同じ壁紙が用いられる。一方、この「壁紙設定フラグ」がオンのときは、表示１，表示２，表示３の表示にあたり、それぞれについて設定された壁紙が用いられる。
【００４７】
また図５（Ｂ）の「セキュリティ設定フラグ」は、表示１を除く、表示２又は表示３の表示に先立ってパスワードによるユーザ認証を必要とするか否かを表わすフラグである。「セキュリティ設定フラグ」がオフのときは、パスワードによるユーザ認証は不要であり、「セキュリティ設定フラグ」がオンのときはパスワードによるユーザ認証を必要とする。
【００４８】
また、図５（Ｃ）の「パスワード」は、「セキュリティ設定フラグ」がオンのときにパスワードを記憶しておく記憶部である。
【００４９】
さらに、図５（Ｄ）の「認証済フラグ」は、表示２，表示３についてパスワードが設定され、電源立ち上げ以降ユーザ認証が行なわれたか否かを示すフラグである。表示２，表示３についてパスワードが設定されており、例えば表示画面２３０（図３参照）上のデスクトップ画面を「表示１」から「表示２」に切り替え、その後もう一度「表示１」に切り替え、さらにその後もう一度「表示２」に切り替える場合を考える。ここで説明している実施形態では、「表示２」への初回の切り替え時にはパスワードによるユーザ認証を必要とし、２回目以降の「表示２」又は「表示３」への切り替え時には、ユーザ認証を不要としている。図５（Ｅ）の「認証済フラグ」は、このような初回と２回目以降とを区別するためのフラグである。すなわち、「認証済フラグ」がオフのときは、未だユーザ認証を行なっていないため「表示２」又は「表示３」の表示の際にユーザ認証を行なうべきことを表わしている。一方、「認証済フラグ」がオフのときは、一度ユーザ認証が行なわれており、「表示２」又は「表示３」の表示の際にユーザ認証を行なう必要がないことを表わしている。
【００５０】
図６は、表示画面上に表示されるデスクトップ画面例を示した図である。
【００５１】
図６（Ａ）は、「表示１」に切り替えたときのデスクトップ画面を示している。このデスクトップ画面は図４（Ａ）に対応しており、背景画像として「壁紙１」が表示され、その「壁紙１」とともに、図４（Ａ）に記憶されているアイコンが表示されている。
【００５２】
図６（Ｂ）は「表示２」に切り替えたときのデスクトップ画面を示している。このデスクトップ画面は図４（Ｂ）に対応しており、背景画像として「壁紙２」が表示され、その「壁紙２」とともに図４（Ｂ）に記憶されているアイコンが表示されている。
【００５３】
さらに、図６（Ｃ）は「表示３」に切り替えたときのデスクトップ画面を表示している。このデスクトップ画面は図４（Ｃ）に対応しており、背景画像として「壁紙３」が表示され、その「壁紙３」とともに図４（Ｃ）に記憶されているアイコンが表示されている。
【００５４】
図６（Ａ）〜（Ｃ）のいずれにおいても、表示されているアイコンのうちのいずれかのアイコンをマウスクリックすると、そのアイコンに対応したファイルが開かれ、あるいはそのアイコンに対応したプログラムが実行される。
【００５５】
図７は、「表示設定」時の処理を表わすフローチャートである。
【００５６】
また、図８は、表示設定時に開かれる画面を示す図である。
【００５７】
ここでは、図６（Ａ）〜（Ｃ）のいずれかのデスクトップ画面を表示し、そのデスクトップ画面上のいずれかのアイコンにマウスカーソルを重ね、マウスを右クリックする。すると、図８（Ａ）のメニュー画面が表示される（ステップＳ１１）。このメニュー画面上で「表示設定」以外のメニューを選択した時は（ステップＳ１２）、そのメニューに応じた「その他の処理」が実行される（ステップＳ１３）。ここでは、「表示設定」メニューに関心があり、その他のメニューについての説明は割愛する。
【００５８】
マウス操作により「表示設定」メニューが選択されると（ステップＳ１２）、図８（Ｂ）のメニュー画面が表示される。この図８（Ｂ）のメニュー画面上で「表示１」又は「表示２」を選択する（ステップＳ１４）。「表示１」が選択されると、ステップＳ１５に進み、ステップＳ１１のメニュー表示（図８（Ａ）のメニュー画面の表示）の際にマウスカーソルを合わせたアイコンが、図４（Ａ）に示す「表示１」の欄に移動する。そのマウスカーソルを合わせたアイコンがもともと「表示１」に格納されていたときは、そのまま「表示１」にとどまる。
【００５９】
次いでステップＳ１６において、現在表示されているデスクトップ画面が「表示１」「表示２」「表示３」のいずれかであるかが判定される。「表示１」と判定された場合は、そのマウスカーソルを合わせたアイコンが追加表示される（ステップＳ１７）。また「表示２」と判定された場合は非表示化され（ステップＳ１８）、「表示３」と判定された場合はそのまま表示される（ステップＳ１９）。これらのステップＳ１７〜１９では、アイコン移動後における対象の記憶部（図４（Ａ）〜（Ｃ）のいずれか）からアイコンが再度読み出されて再表示される。このことが、アイコンの追加表示や非表示化などとして画面上にあらわれることになる。ただし、マウスカーソルを合わせたアイコンがもともと「表示１」のグループに振り分けられていたアイコンのときは、ステップＳ１７では、デスクトップ画面上何らの変化も生じない。
【００６０】
また、ステップＳ１４において「表示２」が選択されたと判定されたときはステップＳ２０に進み、マウスカーソルを合わせたアイコンが、図４（Ｂ）に示す「表示２」の欄に移動する。そのマウスカーソルを合わせたアイコンが元々「表示２」に格納されていたときは、そのまま「表示２」にとどまる。
【００６１】
次いでステップＳ２１において、現在のデスクトップ画面が「表示１」「表示２」「表示３」のいずれであるかが判定される。「表示１」と判定された場合は、そのマウスカーソルを合わせたアイコンが非表示化される（ステップＳ２２）。また「表示２」と判定された場合は追加表示され（ステップＳ２３）、又は、「表示３」と判定された場合はそのまま表示される（ステップＳ２４）。ただし、マウスカーソルを合わせたアイコンがもともと「表示２」のグループに振り分けられていたアイコンのときは、ステップ２３におけるデスクトップ画面の表示には何らの変化もない。ステップＳ２２〜Ｓ２４では、アイコン移動後における対象の記憶部（図４（Ａ）〜（Ｃ）のいずれか）から再度読み出してきて再表示される。その結果、デスクトップ画面上ではステップＳ２２〜Ｓ２４で説明した変化が現れ、あるいは変化なしにそのまま表示されることになる。
【００６２】
図９，図１０はデスクトップ画面における、アイコンから外れた背景画像（壁紙）上にマウスカーソルを合わせてマウスを右クリックしたときに実行される処理を表わすフローチャートの各一部分を示した図である。
【００６３】
また、図１１は、図９，図１０に示す処理で表示される画面を示した図である。
【００６４】
本実施形態では、電源立ち上げ時には、図６（Ａ）に示す「表示１」のデスクトップ画面が表示される。ただし、図９〜図１１に示す処理は、図６（Ａ）〜（Ｃ）に示す「表示１」〜「表示３」のいずれのデスクトップ画面が表示されている場合であっても成り立つ処理である。
【００６５】
図６（Ａ）〜（Ｃ）のいずれのデスクトップ画面上でも、マウスカーソルを背景画像（壁紙）上に合わせてマウスを右クリックすると、図１１（Ａ）のメニュー画面が表示される（ステップＳ３１）。このメニュー画面上で「表示選択」以外のメニューを選択すると、その選択したメニューに応じた「その他の処理」が実行される（ステップＳ３３）。この「その他の処理」のうち、図１１（Ａ）のメニュー画面内の「プロパティ」を選択すると壁紙を変更することができる。「プロパティ」の選択以降の壁紙変更の処理手順は、従来から行なわれている通常の処理であるため、ここでは、その説明は省略する。ただし、この壁紙変更は本実施形態でも関係するため、その関係する点については後述する。
【００６６】
図１１（Ａ）のメニュー画面上で「表示選択」が選択されると（ステップＳ３２）、図１１（Ｂ）のメニュー画面が表示され、この図１１（Ｂ）のメニュー画面上で「表示１」、「表示２」、「表示３（全表示）」、・・・、「プロパティ」のいずれかが選択される（ステップＳ３３）。ここでは「プロパティ」が選択された場合について先に説明する。
【００６７】
図１１（Ｂ）のメニュー画面上で「プロパティ」が選択されると、図１１（Ｃ）のメニュー画面が表示される。この図１１（Ｃ）のメニュー画面上で「壁紙」が選択されると（図１０のステップＳ５１）、図１１（Ｄ）の画面が表示される。この図１１（Ｄ）の画面のチェックボックスにチェックを入れて「適用」ボタンを押すと、図５（Ａ）の「壁紙設定フラグ」がオンとなる（ステップＳ５３）。あるいは、図１１（Ｄ）の画面のチェックボックスを外して「適用」ボタンを押すと、図５（Ａ）の「壁紙設定フラグ」がオフとなる（ステップＳ５４）。図５（Ａ）の「壁紙設定フラグ」は、前述の通り、これをオンに設定すると「表示１」、「表示２」、「表示３」のそれぞれのデスクトップ画面でそれぞれについて設定した壁紙が適用される。一方、この「壁紙設定フラグ」をオフに設定すると、「表示１」、「表示２」、「表示３」のいずれのデスクトップ画面であっても、共通の壁紙が適用される。
【００６８】
図５（Ａ）の「壁紙設定フラグ」がオンに設定されると、図４に示す壁紙記憶部のうちの図５（Ａ）の「表示１」の「壁紙１」はそのまま維持される。一方、図５（Ｂ），（Ｃ）の「表示２」、「表示３」の「壁紙２」、「壁紙３」は、「壁紙１」とは異なる壁紙であって、かつ「壁紙２」と「壁紙３」とで互いに異なる壁紙が、先ずはユーザによる設定を待たずに自動設定される。
【００６９】
ユーザが壁紙を変更しようとするとき、例えば「表示２」の壁紙を変更するときは「表示２」のデスクトップ画面を開いた状態でマウスを壁紙上で右クリックする。すると、前述の通り、図１１（Ａ）のメニュー画面が表示される。この図１１（Ａ）のメニュー画面上で「プロパティ」を選択するとその「プロパティ」の配下で壁紙を任意に選択することができる。ユーザが壁紙を選択すると、その選択された壁紙の情報が図４（Ｂ）の「壁紙２」として設定される。「表示１」、「表示３」についても同様である。
【００７０】
図５（Ａ）の「壁紙設定フラグ」がオフに設定されると、図４（Ｂ），（Ｃ）の「壁紙２」「壁紙３」に「壁紙１」の情報がコピーされる。ユーザが上記のようにして壁紙を任意に選ぶと、その選んだ壁紙が図４（Ａ）〜（Ｃ）の「壁紙１」「壁紙２」「壁紙３」として設定される。
【００７１】
また、図１１（Ｃ）のメニュー画面上で「セキュリティ」が選択されると（図１０のステップＳ５１）、図１１（Ｅ）の画面が表示される。この図１１（Ｅ）の画面上のチェックボックスにチェックを入れて「適用」ボタンを押すと（ステップＳ５５）、図５（Ｂ）の「セキュリティ設定フラグ」がオンとなり（ステップＳ５６）、さらに図１１（Ｆ）のパスワード設定画面が表示される（ステップＳ５７）。前述の通り、この「セキュリティ設定フラグ」をオンにすると、「表示２」又は「表示３」のデスクトップ画面を初回に表示する際にパスワードによるユーザ認証が必要となる。
【００７２】
図１１（Ｆ）のパスワード設定画面上にパスワードを入力して「ＯＫ」ボタンを押すと、図５（Ｃ）のパスワード記憶部にパスワードが登録される（ステップＳ５８）。さらにステップＳ５９に進んで図５（Ｄ）の「認証済フラグ」がオフに設定される。
【００７３】
この「認証済フラグ」は、電源立ち上げ時にオフに初期化されるが、この「認証済フラグ」が一旦オンに設定された後になって図５（Ｂ）の「セキュリティ設定フラグ」がオフに設定され、さらにその後、「セキュリティ設定フラグ」が再度オンに設定される可能性がある。ステップＳ５９で「認証済フラグ」をオフに設定するのは、「セキュリティ設定フラグ」が再度オンに設定された場合に、その後、「表示２」又は「表示３」のデスクトップ画面を初回に開いたときを「初回」として扱うための処置である。
【００７４】
図１１（Ｅ）の画面上でチェックボックスのチェックを外して「適用」ボタンを押すと（ステップＳ５５）、図５（Ｂ）の「セキュリティ設定フラグ」がオフとなる（ステップＳ６０）。
【００７５】
次に、図１１（Ｂ）のメニュー画面上で「表示１」、「表示２」、「表示３（全表示）」のいずれかが選択された場合について説明する。
【００７６】
図１１（Ｂ）のメニュー画面上で「表示１」が選択されると（図９のステップＳ３４）、「表示１」の配下の情報、すなわち、図４（Ａ）の情報が参照され（ステップＳ３５）、その情報に従って、表示画面１２１上の表示が、図６（Ａ）に示す、「表示１」のデスクトップ画面に切り替えられる（ステップＳ４３）。
【００７７】
図１１（Ｂ）のメニュー画面上で「表示２」あるいは「表示３」が選択されると（図９のステップＳ３４）、それぞれ、「表示２」あるいは「表示３」の配下の情報、すなわち図４（Ｂ）あるいは図４（Ｃ）の情報が参照される（ステップＳ３６，３７）。その後、図５（Ｂ）の「セキュリティ設定フラグ」が参照されてセキュリティが設定されているか否かが判定される（ステップＳ３８）。セキュリティが設定されていないときは、ステップＳ４３に進み、表示画面１２１上の表示が図６（Ｂ）あるいは図６（Ｃ）に示す、「表示２」あるいは「表示３」のデスクトップ画面に切り替えられる（ステップＳ４３）。
【００７８】
セキュリティが設定されているときは（ステップＳ３８）、図５（Ｄ）の「認証済フラグ」が参照され、初回の切り替えである（「認証済フラグ」オフ）か否（「認証済フラグ」オン）かが判定される（ステップＳ３９）。初回の切り替えではない（２回目以降の切り替えである。「設定済みフラグ」オン）のときは、ステップＳ４３に進み、表示画面１２１上の表示が、図６（Ｂ）あるいは図６（Ｃ）に示す「表示２」あるいは「表示３」のデスクトップ画面に切り替えられる。
【００７９】
初回の切り替え（「認証済フラグ」オフ）であったときは、ステップＳ４０に進み、図１１（Ｇ）に示すユーザ認証画面が表示される。
【００８０】
ユーザはこのユーザ認証画面上でパスワードを入力し「ＯＫ」ボタンを押す。すると、このユーザ認証画面上で入力されたパスワードと、登録されているパスワード（図５（Ｃ）参照）とが照合される。それらのパスワードが一致すると認証ＯＫとなり（ステップＳ４１）、図５（Ｄ）の「認証済フラグ」がオンに変更され（ステップＳ４２）、表示画面１２１上の表示が図６（Ｂ）あるいは図６（Ｃ）に示す「表示２」あるいは「表示３」のデスクトップ画面に切り替えられる。一方、それらのパスワードが不一致であったときは（ステップＳ４１）、認証エラーの表示がなされる（ステップＳ４４）。このときは、デスクトップ画面は変更されない。
【００８１】
本実施形態では、このようにして、任意のアイコンを「表示１」あるいは「表示２」に振り分け、デスクトップ画面の表示を「表示１」、「表示２」及び「表示３（全表示）」に切り替えることができる。
【００８２】
また、各デスクトップ画面ごとに壁紙も切り替えることができる。壁紙を切り替えることにより現在どのデスクトップ画面が表示されているかを一見で判別することができる。
【００８３】
さらに「表示２」および「「表示３（全表示）」については、パスワードによるセキュリティ設定を行なうことができる。
【００８４】
人に見られたくない秘密のファイル等に対応するアイコンを「表示２」に振り分け、セキュリティを設定することで、ユーザ認証なしにはデスクトップ画面からはそのファイルを開くことができない。
【００８５】
しかしながら、デスクトップ画面からはそのファイルを開くことができなくでもエクスプローラ等、ファイル一覧が並んだ画面を開くと、その画面上からその秘密のファイル等を開くことができては、十分な安全性が保たれない。そこで本実施形態では、エクスプローラ上からも秘密のファイルを開くことができないよう、工夫がなされている。
【００８６】
図１２は、エクスプローラ上でのアクセスが発生した時の処理を示すフローチャートである。
【００８７】
エクスプローラ上でファイルやフォルダへのアクセスが発生すると、図５（Ｂ）の「セキュリティ設定フラグ」が参照され、セキュリティ設定がなされているか否かが判定される（ステップＳ７１）。セキュリティが設定されていないときは、ステップＳ７７に進みアクセスが許可される。
【００８８】
セキュリティが設定されているときは、図４に示す表示２のデータが参照される（ステップＳ７２）。ここでは、今回アクセスされたファイルやフォルダが、セキュリティが設定されているファイルやフォルダであるか否か、すなわち、「表示２」に振り分けられているアイコンに対応するファイルやフォルダであるか否かが判定される（ステップＳ７３）。セキュリティが設定されているファイルやフォルダではないときはステップＳ７７に進み、アクセスが許可される。セキュリティが設定されたファイルやフォルダであったときは（ステップＳ７３）、図５（Ｄ）の「認証済フラグ」が参照される（ステップＳ７４）。「認証済フラグ」がオンのときは、デスクトップ画面上からもアクセスが許可されているので、ステップＳ７７に進み、アクセスが許可される。一方「認証済フラグ」がオフのときは、図１１（Ｇ）と同様のユーザ認証画面が表示され（ステップＳ７５）、そのユーザ認証画面上で入力されたパスワードと登録済みのパスワード（図５（Ｃ）参照）とが照合される。それらのパスワードが一致すると認証ＯＫとなり（ステップＳ７６）、アクセスが許可される（ステップＳ７７）。一方、認証ＯＫではないときは認証エラーの表示がなされ（ステップＳ７８）、そのファイルやフォルダへのアクセスは禁止される。
【００８９】
本実施形態には、図１２の処理が組み込まれており、セキュリティが一層高められている。
【００９０】
次に、上記の実施形態の各種変形例について説明する。以下に説明する各種変形例については、上述の実施形態との相違点についてのみ、図示および説明を行なう。
【００９１】
図１３、図１４は、第１変形例における、それぞれ、図９に代わるフローチャート、および図１１のメニュー画面に代わるメニュー画面を示した図である。
【００９２】
図１４の画面における、図１１の画面との相違点は、図１４（Ｂ）にあり、図１４（Ａ），（Ｃ）〜（Ｇ）は、それぞれ図１１（Ａ），（Ｃ）〜（Ｇ）と同一である。
【００９３】
図１１（Ｂ）のメニュー画面上には、「表示１」、「表示２」、「表示３（全表示）」が存在するが、図１４（Ｂ）のメニュー画面上には、それらに代わり「表示切替え」が存在する。
【００９４】
前述の実施形態では、図１１のメニュー画面上で「表示１」、「表示２」および「表示３（全表示）」のいずれかを選択すると、その選択された「表示１」「表示２」又は「表示３」のデスクトップ画面が表示される。これに対し、図１４（Ｂ）のメニュー画面上で「表示切替え」を選択すると、図１４（Ｂ）のメニュー画面を開いて選択するごとに、デスクトップ画面が「表示１」→「表示２」→「表示３」→「表示１」→・・・と循環的に切り替わる。
【００９５】
このデスクトップ画面の切り替わりを図１３のフローチャートを参照して説明する。この図１３において、図９のフローチャートにおける各ステップに付した符号（例えばＳ３１，Ｓ３２など）と同一の符号が付されているステップは、図９のフローチャートにおける同一の符号が付されたステップと同一の処理を行なうステップである。
【００９６】
この第１変形例においても前述の実施形態と同様、電源立ち上げ時は図６（Ａ）に示す、「表示１」のデスクトップ画面が表示される。ただし、この図１３に示す処理は、図６（Ａ）〜（Ｃ）に示す、「表示１」〜「表示３」のいずれのデスクトップ画面が表示されている場合であっても成り立つ処理である。
【００９７】
図６（Ａ）〜（Ｃ）に示すいずれのデスクトップ画面が表示されている場合であっても、その表示されているデスクトップ画面における、アイコンから外れた背景画像（壁紙）上にマウスカーソルを合わせてマウスを右クリックする。すると、図１４（Ａ）に示すメニュー画面が表示される（ステップＳ３１）。ここで、この図１４（Ａ）のメニュー画面上で「表示選択」を選択すると（ステップＳ３２）、図１４（Ｂ）に示すメニュー画面が表示される。この図１４（Ｂ）のメニュー画面上で「表示切替え」を選択すると（ステップＳ３４）、図１３のステップＳ８１に進む。このステップＳ８１では現在表示されているデスクトップ画面が「表示１」のデスクトップ画面であるか否かが判定される。
【００９８】
「表示１」のデスクトップ画面であったときは、ステップＳ３６に進み、「表示２」の配下のデータ、すなわち図４（Ｂ）のデータが参照され、ステップＳ３８〜４２のユーザ認証の処理を経た上で「表示２」のデスクトップ画面に切り替えられる。
【００９９】
ステップＳ８１において、現在のデスクトップ画面が「表示１」以外のデスクトップ画面であると判定されるとステップＳ８２に進む。ここでは、現在表示されているデスクトップ画面に「表示２」のデスクトップ画面であるか否かが判定される。現在のデスクトップ画面が「表示２」のデスクトップ画面であったときは、図４（Ｃ）に示す「表示３」配下のデータが参照されて（ステップＳ３７）、「表示３」のデスクトップ画面が表示される（ステップＳ４３）。
【０１００】
ステップＳ８２において現在のデスクトップ画面が「表示２」のデスクトップ画面ではないと判定されると、現在のデスクトップ画面は「表示３」のデスクトップ画面ということになる。この場合は、図４（Ａ）に示す「表示１」の配下のデータが参照され（ステップＳ３５）、「表示１」のデスクトップ画面が表示される（ステップＳ４３）。
【０１０１】
ここでは、前述の実施形態の場合と異なり、「表示１」のデスクトップ画面から「表示２」のデスクトップ画面に初回に移る時のみユーザ認証を必要としている。これは、この第１変形例の場合、「表示１」のデスクトップ画面からいきなり「表示３」のデスクトップ画面に移ることはできず、「表示３」のデスクトップ画面に移行する場合には、その途中で必ず「表示２」のデスクトップ画面を経由する。したがって、初回の切替え時のみユーザ認証を必要とするという考えの下では、「表示１」のデスクトップ画面から「表示２」のデスクトップ画面に初回に移るときのみユーザ認証を行なえばよい。
【０１０２】
この第１変形例に示すように、デスクトップ画面の変更は循環的に行なってもよい。
【０１０３】
次に第２変形例について説明する。
【０１０４】
前述の実施形態および第１変形例は、デスクトップ画面を「表示１」と、「表示２」と、「表示３（全表示）」との間で切り替えるものである。これに対し、ここで説明する第２変形例は、前述の実施形態および第１変形例における「表示２」については、ユーザ向けには隠しファイルのように印象付けるものである。すなわち、デスクトップ画面は、前述の実施形態および第１変形例における「表示１」と「表示３（全表示）」との間で切り替えるようにしている。この第２変形例では、前述の実施形態及び第１変形例における「表示３」に対応する表示を「全表示」と称している。
【０１０５】
図１５は、前述の実施形態における図４に代わる、第２変形例の記憶部を示した図である。
【０１０６】
また、図１６は、前述の実施形態における図６に代わる、第２変形例のデスクトップ画面を示した図である。
【０１０７】
また、図１７は、前述の実施形態における図７に代わる、第２変形例における「表示設定」時の処理を表わすフローチャートである。
【０１０８】
さらに、図１８は、前述の実施形態における図８に代わる、表示設定時に開かれる画面を示す図である。
【０１０９】
さらに、図１９は、前述の実施形態における図９に代わる、デスクトップ画面切替え時のフローチャートである。
【０１１０】
さらに、図２０は、前述の実施形態における図１１に代わる、図１９および前述の図１０の処理で表示される画面を示した図である。ただし、この図２０において、前述の図１０の処理で表示される画面については、前述の実施形態における図１１と同一である。
【０１１１】
ここでは、前述の実施形態における図面をそのままでは使えない図面について、あらためて図面を示したが、前述の実施形態における対応する図面と共通する部分も多く、ここでは、相違点のみ取り挙げて説明する。
【０１１２】
ここでは、図１６（Ａ）又は図１６（Ｂ）のいずれかのデスクトップ画面を表示し、そのデスクトップ画面上のいずれかのアイコンにマウスカーソルを重ね、マウスを右クリックする。すると、図１８（Ａ）のメニュー画面が表示される（図１７のステップＳ１１）。この図１８（Ａ）のメニュー画面は、前述の実施形態における図８（Ａ）のメニュー画面と同一である。このメニュー画面上で「表示設定」以外のメニューを選択した時は、そのメニューに応じた「その他の処理」が実行される（ステップＳ１３）。ここでは、「表示設定」メニューに関心があり、その他のメニューについては割愛する。
【０１１３】
マウス操作により「表示設定」メニューが選択されると、図１８（Ｂ）のメニュー画面が表示される。この図１８（Ｂ）のメニュー画面上で「表示１（常に表示）」又は「表示２（隠し）」を選択する（ステップＳ１４）。「表示１（常に表示）」が選択されると、ステップＳ８３に進み、ステップＳ１１のメニュー表示（図１８（Ａ）のメニュー画面の表示）の際にマウスカーソルを合わせたアイコンが、図１５（Ａ）に示す「表示１」の欄に追加される（ステップＳ８４）。そのマウスカーソルを合わせたアイコンがもともと「表示１」に格納されていたときは、そのまま「表示１」にとどまる。
【０１１４】
次いで、現在表示されているデスクトップ画面が「表示１」のデスクトップ画面であるか否かが判定される（ステップＳ８４）。「表示１」のデスクトップ画面であったときは、図１５（Ａ）に示す「表示１」の記憶部が参照されて、その「表示１」の記憶部に格納されているデータに基づいてデスクトップ画面が表示される（図１６（Ａ）参照）。一方、ステップＳ８４で、「表示１」のデスクトップ画面ではない、すなわち「全表示」のデスクトップ画面であると判定されたときは、図１５（Ｂ）に示す「全表示」の記憶部が参照され、そこに記憶されているデータに基づいてデスクトップ画面が表示される。
【０１１５】
ここで、「表示１」のデスクトップ画面が表示されているときは、「表示１」に存在するアイコンしか指定することはできない。したがって、「表示１」のデスクトップ画面上で「表示１」に追加の処理（ステップＳ８３）を行なっても「表示１」のデスクトップ画面上には変化はない（ステップＳ８５）。一方、「全表示」のデスクトップ画面上では、「表示１」には存在しないアイコンを指定することができる。ただし、「表示１」にアイコンが追加されても、「全表示」のデスクトップ画面上には変化はない（ステップＳ８６）。その後、「表示１」のデスクトップ画面に切り替えたときに、アイコンの追加を確認することができる。
【０１１６】
一方、図１８（Ｂ）のメニュー画面上で「表示２（隠し）」が選択されるとステップＳ８７に進み、ステップＳ１１のメニュー表示（図１８（Ａ）のメニュー画面の表示）の際にマウスカーソルを合わせたアイコンが図１５（Ａ）に示す「表示１」の欄から削除される。ただし、図１５（Ｂ）に示す「全表示」の欄には、登録されたまま残る。
【０１１７】
次いで、現在表示されているデスクトップ画面が「表示１」のデスクトップ画面であるか否かが判定される（ステップＳ８７）。「表示１」のデスクトップ画面であったときは、ステップＳ８７で削除された後の「表示１」の記憶部（図１５（Ａ）参照）が参照されて、その「表示１」のデータに基づくデスクトップ画面が表示される。すなわちこの場合、ステップＳ１１のメニュー表示（図１８（Ａ）のメニュー画面の表示）の際にマウスカーソルを合わせたアイコンが非表示化された「表示１」のデスクトップ画面が表示される（ステップＳ８９）。一方、「表示１」のデスクトップ画面ではない（すなわち「全表示」のデスクトップ画面である）ときは（ステップＳ８８）、何も変化が生じることなく、「全表示」のデスクトップ画面が表示され続ける（ステップＳ９０）。
【０１１８】
この第２変形例では、以上の処理により、アイコンを「表示１」から「表示２」（「表示２」は実際には存在しなくてよい）に移したり、あるいは「表示２」から「表示１」にアイコンを移すことができる。
【０１１９】
図１６（Ａ）又は図１６（Ｂ）のいずれのデスクトップ画面上でも、マウスカーソルを背景画像（壁紙）上に合わせてマウスを右クリックすると、図２０（Ａ）のメニュー画面が表示される（図１９のステップＳ３１）。このメニュー画面上で「表示選択」以外のメニューを選択すると、その選択してメニューに応じた「その他の処理」が実行される（ステップＳ３３）。この「その他の処理」のうち、図２０（Ａ）のメニュー画面内の「プロパティ」を選択すると壁紙を変更することができる。この点については前述の実施形態と同様であり、説明は割愛する。
【０１２０】
図２０（Ａ）のメニュー画面上で「表示選択」が選択されると（ステップＳ３２）、図２０（Ｂ）のメニュー画面が表示される。この図２０は、前述の実施形態における図１１と比べ、図２０（Ｂ）のみが異なる。この図２０（Ｂ）のメニュー画面上で「表示１」、「全表示」、・・・、「プロパティ」のいずれかが選択される（ステップＳ３２）。「プロパティ」が選択された場合については、前述の実施形態の場合と同じであり説明は割愛する。
【０１２１】
図２０（Ｂ）のメニュー画面上で「表示１」が選択されると（図１９のステップＳ３４）、「表示１」の配下の情報、すなわち、図１５（Ａ）の情報が参照され（ステップＳ３５）、その情報に従って表示画面１２１上の表示が、図１６（Ａ）に示す、「表示１」のデスクトップ画面に切り替えられる（ステップＳ４３）。
【０１２２】
図２０（Ｂ）のメニュー画面上で「全表示」が選択されると（図１９のステップＳ３４）、「全表示」の配下の情報、すなわち図１５（Ｂ）の情報が参照される（ステップＳ９１）。その後、前述の実施形態における図９のステップＳ３８以降のユーザ認証と同じユーザ認証の処理を経て、「全表示」のデスクトップ画面に切り替えられる（ステップＳ４３）。
【０１２３】
この第２変形例に示すように、前述の実施形態における「表示２」のデスクトップ画面を表示しないシステムであってもよい。
【０１２４】
次に第３変形例を説明する。
【０１２５】
前述の実施形態では、セキュリティを設定して、まだユーザ認証を行なっていないときは、「表示２」に振り分けられているアイコンに対応するファイルやフォルダは、ユーザ認証なしにはエクスプローラ上からも開けないようにしている（図１２参照）。以下に説明する第３変形例は、その図１２の処理に代わる処理であり、ここでは、セキュリティ下にあるファイルやフォルダについては非表示としている。
【０１２６】
図２１は、第３変形例の説明図である。
【０１２７】
「表示１」のデスクトップ画面からユーザ認証を経て「表示２」のデスクトップ画面が表示され、その後、「表示１」のデスクトップ画面に戻ったとする。
【０１２８】
このとき、「表示２」に振り分けられているアイコンに対応するファイルやフォルダについては、最初の「表示１」のデスクトップ画面が表示されている段階ではエクスプローラ上からも非表示であって、それらのファイルやフォルダを開くことはできない。ユーザ認証を経た後は、その後デスクトップ画面が変更されても、それらのファイルやフォルダがエクスプローラ上で表示され、それらを開くことができる。
【０１２９】
この第３変形例に示すように、セキュリティが設定されている場合、ユーザ認証を経る前はエクスプローラ上でも非表示とすることによっても一層の安全性が担保される。
【０１３０】
尚、前述の実施形態では、「表示１」と「表示２」と「表示３（全表示）」との３種類のデスクトップ画面を取り扱ったが、第２変形例で示したように、「表示１」と「全表示」のみであってもよい。あるいは、「表示１」と「表示２」のみとし、「全表示」のデスクトップ画面を特に設けなくてもよい。この場合に全てのアイコンを表示したいときは、全てのアイコンを「表示１」に振り分ければよい。さらには、「表示１」、「表示２」、・・・、「表示ｎ」のようにアイコンをさらに多数のグループに振り分ける構成としてもよい。
【符号の説明】
【０１３１】
１０    ノートＰＣ
１１１    キーボード
１１２    ＣＰＵ
１１３    ハードディスク
１１４    メモリ
１１５    ネットワークインタフェース
１１６    トラックパッド
１２１，２３０    表示画面
１３１    マウス
１３２    ＣＤ／ＤＶＤドライブ
１３３    ＣＤ／ＤＶＤ
２００    情報処理装置
２１０    入力装置
２２０    演算処理装置
２２１    演算部
２２２    記憶部 
【図１】
2012020497.tif 000003
【図２】
2012020497.tif 000004
【図３】
2012020497.tif 000005
【図４】
2012020497.tif 000006
【図５】
2012020497.tif 000007
【図６】
2012020497.tif 000008
【図７】
2012020497.tif 000009
【図８】
2012020497.tif 000010
【図９】
2012020497.tif 000011
【図１０】
2012020497.tif 000012
【図１１】
2012020497.tif 000013
【図１２】
2012020497.tif 000014
【図１３】
2012020497.tif 000015
【図１４】
2012020497.tif 000016
【図１５】
2012020497.tif 000017
【図１６】
2012020497.tif 000018
【図１７】
2012020497.tif 000019
【図１８】
2012020497.tif 000020
【図１９】
2012020497.tif 000021
【図２０】
2012020497.tif 000022
【図２１】
2012020497.tif 000023
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
ユーザ操作に応じて、個々のアイコンについて個別に、複数のグループのうちのそれぞれ１つ以上のグループに振り分けるアイコン振分部と、
前記個々のアイコンと、該個々のアイコンの振分け先グループとの対応関係を記憶しておくアイコン振分先記憶部と、
前記複数のグループのうちのいずれか１つのグループに切替自在に切り替えるグループ切替部と、
前記アイコン振分先記憶部を参照して、前記グループ切替部により切り替えられたグループに振り分けられているアイコンを表示する表示部とを有することを特徴とする情報処理装置。
【請求項２】
前記複数のグループのうちの１つ以上のグループにパスワードを設定するパスワード設定部と、
前記パスワード設定部で設定されたパスワードを記憶しておくパスワード記憶部と、
前記グループ切替部による、パスワードが設定されているグループへの少なくとも初回の切替時に当該パスワードによる認証を行なう認証部とを有し、
前記表示部が、前記グループ切替部による、パスワードが設定されているグループへの少なくとも初回の切替時には、前記認証部による認証を待って、当該グループに振り分けられているアイコンを表示するものであることを特徴とする請求項１記載の情報処理装置。
【請求項３】
前記表示部により表示されたアイコンを指定して該アイコンに対応する処理を実行するパスを除くパスを経て当該処理の実行の指示を受けた場合であって、当該処理がパスワードが設定されたグループに振り分けられているアイコンに対応する処理であり、さらに当該アイコンが前記認証部による認証を受けずには表示されない状況下にある場合に、前記認証部が、当該処理の実行に先立って当該パスワードによる認証を行なうものであることを特徴とする請求項２記載の情報処理装置。
【請求項４】
パスワードが設定されたグループに振り分けられたアイコンに対応する処理を、前記表示部により表示された当該アイコンをクリックすることにより実行させるパスを除くパスを表す表示を、当該アイコンが前記認証部による認証を受けずには表示されない状況下にある場合に非表示とする表示制御部を有することを特徴とする請求項２記載の情報処理装置。
【請求項５】
前記複数のグループについて個別に背景画像を設定する画像設定部と、
前記複数のグループと背景画像との対応関係を記憶しておくグループ別背景画像記憶部とを有し、
前記表示部が、前記グループ別背景画像記憶部と前記アイコン振分先記憶部とを参照して、前記グループ切替部により切り替えられたグループに振り分けられているアイコンを、該グループに設定されている背景画像とともに表示するものであることを特徴とする請求項１記載の情報処理装置。
【請求項６】
前記アイコン振分部が、複数のグループへの１つのアイコンの重複した振り分けを許容して、当該アイコン振分部による振り分け対象の全てのアイコンを１つのグループに振り分けるものであることを特徴とする請求項１から５のうちいずれか１項記載の情報処理装置。
【請求項７】
プログラムを実行する演算処理部と、該演算処理部からの指示に応じて画像を表示する表示画面と、ユーザによる操作入力を受ける入力操作子とを有する情報処理装置内で実行され、該情報処理装置内に、
ユーザ操作に応じて、個々のアイコンについて個別に、  複数のグループのうちのそれぞれ１つ以上のグループに振り分けるアイコン振分部と、
前記個々のアイコンと、該個々のアイコンの振分け先グループとの対応関係を記憶しておくアイコン振分先記憶部と、
前記複数のグループのうちのいずれか１つのグループに切替自在に切り替えるグループ切替部と、
前記アイコン振分先記憶部を参照して、前記グループ切替部により切り替えられたグループに振り分けられているアイコンを表示する表示部とを構築することを特徴とする情報処理プログラム。
【国際調査報告】
2012020497.tif 000024
2012020497.tif 000025
2012020497.tif 000026
2012020497.tif 000027
2012020497.tif 000028
2012020497.tif 000029